(57)【要約】【課題】防水シートにおける欠陥の発生状況の確認を高精度でかつ効率よく行うことができるシート防水構造を提供すること、また、防水シートにおける欠陥の発生状況の確認を高精度でかつ効率よく行うことができるシート防水構造を効率よく形成することができる防水シートの躯体への接合方法を提供すること。【解決手段】本発明のシート防水構造は、躯体の少なくとも一部を防水シートで覆い、前記躯体に防水を施すシート防水構造であって、前記防水シートと、前記防水シートを前記躯体に接着する接着層とを有し、前記接着層は、導電性物質を含むものであることを特徴とするシート防水構造。前記接着層は、前記導電性物質として導電性フィラーを含むものであることが好ましい。【選択図】なし【特許請求の範囲】
【請求項１】
躯体の少なくとも一部を防水シートで覆い、前記躯体に防水を施すシート防水構造であって、
前記防水シートと、
前記防水シートを前記躯体に接着する接着層とを有し、
前記接着層は、導電性物質を含むものであることを特徴とするシート防水構造。
【請求項２】
前記接着層は、前記導電性物質として導電性フィラーを含むものである請求項１に記載のシート防水構造。
【請求項３】
前記接着層は、金属材料で構成された前記導電性フィラーを含むものである請求項２に記載のシート防水構造。
【請求項４】
前記接着層は、炭素材料で構成された前記導電性フィラーを含むものである請求項２または３に記載のシート防水構造。
【請求項５】
前記接着層は、前記導電性物質としてメッシュ材を含むものである請求項１ないし４のいずれか１項に記載のシート防水構造。
【請求項６】
前記導電性物質は、前記接着層の厚み方向の一部に偏在している請求項１ないし５のいずれか１項に記載のシート防水構造。
【請求項７】
前記接着層は、接着剤として、ニトリルゴムおよびエポキシ系接着剤のうち少なくとも一方を含むものである請求項１ないし６のいずれか１項に記載のシート防水構造。
【請求項８】
躯体の少なくとも一部に防水シートを接合する方法であって、
前記躯体と、前記防水シートとの間に、接着用組成物を配する工程と、
前記接着用組成物を介して前記躯体と前記防水シートとを密着させ、接着する工程とを有し、
前記躯体と前記防水シートとを接着する接着層中に、導電性物質を含ませることを特徴とする接合方法。
【請求項９】
前記躯体および前記防水シートのそれぞれの表面に前記接着用組成物を付与する請求項８に記載の接合方法。
【発明の詳細な説明】
【技術分野】
【０００１】
本発明は、シート防水構造および接合方法に関するものである。
【背景技術】
【０００２】
近年、建築物の高耐久化が求められるに伴って、多くの建築物の屋上やベランダ等において、ポリ塩化ビニル等の樹脂材料で構成された樹脂シート（防水シート）を敷設施工したシート防水構造が採用されている（例えば、特許文献１参照）。
【０００３】
ところで、防水シートにピンホール等の欠陥を生じると、十分な防水性を維持することができず、防水シートと防水シートが敷設される躯体との間に、水が浸入し得る状態となる。このような状態を長期間放置すると、躯体を十分に保護することができない。
【０００４】
このため、樹脂シートに欠陥が生じていないかを確認するために、防水シートの施工直後の検査や、施工後の定期的な検査等が必要であるが、一般に、樹脂シートの敷設面積は大きいものであり、上記のような欠陥の発生状況の確認を精度よくかつ効率よく行うことは非常に困難であった。
【先行技術文献】
【特許文献】
【０００５】
【特許文献１】特開平１１−２２２９８７号公報
【発明の概要】
【発明が解決しようとする課題】
【０００６】
本発明の目的は、防水シートにおける欠陥の発生状況の確認を高精度でかつ効率よく行うことができるシート防水構造を提供すること、また、防水シートにおける欠陥の発生状況の確認を高精度でかつ効率よく行うことができるシート防水構造を効率よく形成することができる防水シートの躯体への接合方法を提供することにある。
【課題を解決するための手段】
【０００７】
このような目的は、下記（１）〜（９）の本発明により達成される。
（１）  躯体の少なくとも一部を防水シートで覆い、前記躯体に防水を施すシート防水構造であって、
前記防水シートと、
前記防水シートを前記躯体に接着する接着層とを有し、
前記接着層は、導電性物質を含むものであることを特徴とするシート防水構造。
【０００８】
（２）  前記接着層は、前記導電性物質として導電性フィラーを含むものである上記（１）に記載のシート防水構造。
【０００９】
（３）  前記接着層は、金属材料で構成された前記導電性フィラーを含むものである上記（２）に記載のシート防水構造。
【００１０】
（４）  前記接着層は、炭素材料で構成された前記導電性フィラーを含むものである上記（２）または（３）に記載のシート防水構造。
【００１１】
（５）  前記接着層は、前記導電性物質としてメッシュ材を含むものである上記（１）ないし（４）のいずれかに記載のシート防水構造。
【００１２】
（６）  前記導電性物質は、前記接着層の厚み方向の一部に偏在している上記（１）ないし（５）のいずれかに記載のシート防水構造。
【００１３】
（７）  前記接着層は、接着剤として、ニトリルゴムおよびエポキシ系接着剤のうち少なくとも一方を含むものである上記（１）ないし（６）のいずれかに記載のシート防水構造。
【００１４】
（８）  躯体の少なくとも一部に防水シートを接合する方法であって、
前記躯体と、前記防水シートとの間に、接着用組成物を配する工程と、
前記接着用組成物を介して前記躯体と前記防水シートとを密着させ、接着する工程とを有し、
前記躯体と前記防水シートとを接着する接着層中に、導電性物質を含ませることを特徴とする接合方法。
【００１５】
（９）  前記躯体および前記防水シートのそれぞれの表面に前記接着用組成物を付与する上記（８）に記載の接合方法。
【発明の効果】
【００１６】
本発明によれば、防水シートにおける欠陥の発生状況の確認を高精度でかつ効率よく行うことができるシート防水構造を提供すること、また、防水シートにおける欠陥の発生状況の確認を高精度でかつ効率よく行うことができるシート防水構造を効率よく形成することができる防水シートの躯体への接合方法を提供することができる。
【図面の簡単な説明】
【００１７】
【図１】本発明のシート防水構造の第１実施形態を模式的に示す縦断面図である。
【図２】本発明のシート防水構造の第２実施形態を模式的に示す縦断面図である。
【図３】本発明の接合法方法の第１実施形態を模式的に示す縦断面図である。
【図４】本発明の接合法方法の第２実施形態を模式的に示す縦断面図である。
【発明を実施するための形態】
【００１８】
以下、本発明の好適な実施形態について詳細に説明する。
［シート防水構造］
まず、本発明のシート防水構造について説明する。
【００１９】
（第１実施形態）
まず、第１実施形態のシート防水構造について説明する。
【００２０】
図１は、本発明のシート防水構造の第１実施形態を模式的に示す縦断面図である。なお、以下の説明では、図１中の上側を「上」、下側を「下」とする。
【００２１】
シート防水構造１０は、躯体５０の表面の少なくとも一部を防水シート１で覆い、躯体５０に防水を施すものである。
【００２２】
シート防水構造１０は、防水シート１と、防水シート１を躯体５０に接着する接着層２とを有している。
そして、接着層２は、導電性物質２１を含むものである。
【００２３】
このような構成により、電気的な検査により、シート防水構造１０を構成する防水シート１に欠陥が生じている場合に、当該欠陥を容易かつ確実に発見することができる。
なお、シート防水構造１０の検査については、後に詳述する。
【００２４】
また、接着層２中に導電性物質２１が含まれることにより、以下のような効果も得られる。
【００２５】
すなわち、接着層中に導電性物質が含まれず、接着層とは独立して、導電性材料で構成されたシート材を備える場合には、当該シート材に及ぶ傷のように比較的大きな欠陥を生じた場合、電気的な検査により、欠陥を確実に発見することができない場合があるが、接着層２中に導電性物質２１が含まれることにより、例えば、接着層２に及ぶ傷のように比較的大きな欠陥を生じた場合であっても、接着層２が一般に有している弾性力により、見かけ上の欠陥の大きさを小さいものとすることができる。その結果、電気的な検査により、欠陥を容易かつ確実に発見することができる。
【００２６】
躯体５０としては、建物の屋上やベランダ、プール等が挙げられる。
防水シート１は、主として、樹脂材料で構成されたものである。
防水シート１を構成する樹脂材料としては、例えば、塩化ビニル樹脂、ポリオレフィン系樹脂、エチレン酢酸ビニル共重合体、（メタ）アクリル系樹脂等が挙げられるが、中でも、塩化ビニル樹脂が好ましい。
【００２７】
塩化ビニル樹脂は、各種樹脂材料の中でも、優れた耐水性、耐酸性、耐アルカリ性を有し、また、難燃性で、電気絶縁性である。また、塩化ビニル樹脂は、可塑剤の添加等により、防水シート１の可撓性、コシの調整をより好適に行うことができる。したがって、塩化ビニル樹脂を含む材料で構成された防水シート１は、施工をより好適に行うことができるとともに、耐久性にも優れたシート防水構造１０により好適に適用することができる。
【００２８】
防水シート１は、樹脂材料以外の成分を含むものであってもよい。このような成分としては、例えば、可塑剤、酸化防止剤、紫外線吸収剤、フィラー、着色剤、安定剤、安定助剤、難燃剤、繊維強化剤、滑剤、希釈剤、増粘剤等が挙げられる。
【００２９】
防水シート１の厚さは、特に限定されないが、０．２ｍｍ以上７ｍｍ以下であるのが好ましく、０．３ｍｍ以上３ｍｍ以下であるのがより好ましい。
【００３０】
これにより、防水シート１の耐久性、取り扱いのし易さ等をより優れたものとすることができる。
【００３１】
接着層２は、少なくとも導電性物質２１を含むものである。
導電性物質２１の電気伝導率（２５℃における電気伝導率）は、０．０１×１０６Ｓ／ｍ以上であるのが好ましく、０．１×１０６Ｓ／ｍ以上であるのがより好ましい。
【００３２】
これにより、後に詳述するような検査により、より容易かつより確実に、防水シート１の欠陥を発見することができる。
【００３３】
特に、本実施形態では、接着層２は、導電性物質２１として導電性フィラーを含むものである。
【００３４】
これにより、接着層２全体として十分な導電性をより容易に確保することができる。また、接着層２の補強効果等も得られ、シート防水構造１０の耐久性、信頼性をより優れたものとすることができる。また、シート防水構造１０の形成時において、接着層２の形成をより容易に行うことができる。
【００３５】
導電性物質２１は、導電性を有するものであればよく、その構成成分としては、例えば、各種金属材料、カーボンブラック、炭素繊維、黒鉛、カーボンナノチューブ、カーボンナノファイバー等の炭素材料、ＩＴＯ等の導電性金属酸化物、導電性プラスチック等が挙げられる。
【００３６】
特に、接着層２が、金属材料で構成された導電性フィラーを含むものであると、接着層２の難燃性をより優れたものとすることができるとともに、より高い導電性を得ることができる。また、シート防水構造１０の色調の調整が容易であり、特に、白色系、金属光沢系の色調を容易に実現することができる。
【００３７】
また、接着層２が、炭素材料で構成された導電性フィラーを含むものであると、空気酸化による導電性低下を生じにくく、より長期間にわたって安定的な導電性を確保することができる。また、接着層２が重量化することをより効果的に防止することができる。
【００３８】
導電性フィラーの形状は、特に限定されず、例えば、針状、繊維状、板状、球状、無定形の粒状等が挙げられる。
【００３９】
導電性フィラーの大きさも特に限定されないが、粒状をなすものである場合、その体積平均粒径は、０．１μｍ以上２０００μｍ以下であるのが好ましく、０．５μｍ以上１０００μｍ以下であるのがより好ましい。
【００４０】
これにより、接着層２全体として導電性をより優れたものとすることができる。また、シート防水構造１０の耐久性、信頼性をさらに優れたものとすることができる。また、シート防水構造１０の形成時において、接着層２の形成をさらに容易に行うことができる。
【００４１】
接着層２中における導電性物質２１の含有率は、０．１体積％以上９０体積％以下であるのが好ましく、２０体積％以上８０体積％以下であるのがより好ましい。
【００４２】
これにより、接着層２全体として導電性をより優れたものとすることができる。また、シート防水構造１０の耐久性、信頼性をより優れたものとすることができる。また、シート防水構造１０の形成時において、接着層２の形成をより容易に行うことができる。
【００４３】
導電性物質２１は、接着層２中に均一に含まれるものであってもよいし、所定の部位に偏在するものであってもよい。特に、導電性物質２１は、接着層２の厚み方向の一部に偏在しているのが好ましい。
【００４４】
これにより、導電性物質２１による導電性（検査の容易性、防水シート１の欠陥の発見の確実性）、および、防水シート１と躯体５０との密着性を、より高いレベルで両立することができる。また、シート防水構造１０全体としての導電性物質２１の使用量を抑制しつつ、十分な導電性を確保することができるため、シート防水構造１０に要するコストの低減を図ることができる。
【００４５】
特に、導電性物質２１は、接着層２の厚み方向の中心よりも防水シート１側に偏在しているのが好ましい。
【００４６】
これにより、検査の容易性、防水シート１の欠陥の発見の確実性をさらに優れたものとすることができる。
【００４７】
本実施形態において、接着層２は、上記のような導電性物質２１に加え、接着剤２２を含むものである。
【００４８】
これにより、接着方式により防水シート１を躯体５０に接合することができ、容易にシート防水構造１０を形成することができる。
【００４９】
接着層２を構成する接着剤２２としては、粘着剤を含む各種接着剤を用いることができ、例えば、エポキシ系接着剤、ウレタン系接着剤、ニトリルゴム等のゴム系接着剤等が挙げられるが、接着層２は、ニトリルゴムおよびエポキシ系接着剤のうち少なくとも一方を含むものであるのが好ましい。
【００５０】
これにより、防水シート１（特に、塩化ビニル樹脂を含む材料で構成された防水シート１）と躯体５０との密着性をより優れたものとすることができるとともに、接着層２自体による防水性もより優れたものすることができ、シート防水構造１０全体としての防水性、耐久性をより優れたものとすることができる。
【００５１】
接着層２の厚さは、特に限定されないが、５．０μｍ以上５０００μｍ以下であるのが好ましく、１０μｍ以上２０００μｍ以下であるのがより好ましい。
【００５２】
これにより、防水シート１と躯体５０との密着性をより優れたものとすることができ、シート防水構造１０全体としての耐久性をより優れたものとすることができる。また、接着層２が必要以上に厚形化することによる弊害（コストの上昇、重量の増加等）の発生をより効果的に防止することができる。
【００５３】
（第２実施形態）
次に、第２実施形態のシート防水構造について説明する。
【００５４】
図２は、本発明のシート防水構造の第２実施形態を模式的に示す縦断面図である。以下の説明では、前述した実施形態との相違点について中心的に説明し、同様の事項についての説明は省略する。
【００５５】
図２に示すように、本実施形態のシート防水構造１０では、接着層２が、導電性物質２１としてメッシュ材を含むものである。
【００５６】
これにより、接着層２においてメッシュ材の目に接着剤２２を侵入させ（メッシュ材を接着剤２２に埋入させ）、接着層２の強度、シート防水構造１０全体としての強度、信頼性等をより優れたものとすることができる。また、導電性物質２１の構成材料が接着剤２２に対する分散性の低いものであっても、接着層２の各部位（特に、接着層２を平面視した際の各部位）での不本意な導電性物質２１の含有率のばらつきを抑制することができ、後に詳述する検査の信頼性をより優れたものとすることができる。
【００５７】
また、例えば、シート防水構造１０において、接着層２に及ぶ傷のように比較的大きな欠陥を生じた場合であっても、接着層２全体での導電性（後に詳述する検査方法におけるアース部分と検査部分との間での導電性）をより確実に確保することができるため、欠陥をより確実に発見することができる。
【００５８】
メッシュ材が複数本の繊維で構成されたものである場合、当該繊維の平均径は、特に限定されないが、０．１μｍ以上２００μｍ以下であるのが好ましく、１．０μｍ以上１００μｍ以下であるのがより好ましい。
【００５９】
これにより、接着層２の強度、シート防水構造１０全体としての強度、信頼性等をさらに優れたものとしつつ、接着層２の各部位（特に、接着層２を平面視した際の各部位）での導電性の不本意なばらつきをより効果的に抑制することができる。
【００６０】
また、メッシュ材の開孔率は、１０％以上９０％以下であるのが好ましく、２０％以上８０％以下であるのがより好ましい。
【００６１】
これにより、接着層２の強度、シート防水構造１０全体としての強度、信頼性等をさらに優れたものとしつつ、接着層２の各部位（特に、接着層２を平面視した際の各部位）での導電性の不本意なばらつきをさらに効果的に抑制することができる。
【００６２】
なお、メッシュ材の開孔率は、例えば、メッシュ材の線径とメッシュピッチから計算により求めることができる。
【００６３】
メッシュ材は、織布であってもよいし、不織布であってもよい。また、メッシュ材は、例えば、緻密なシート材にパンチ加工等を施すことにより孔部が設けられたものであってもよい。
【００６４】
メッシュ材の厚さは、特に限定されないが、２．０μｍ以上２０００μｍ以下であるのが好ましく、５．０μｍ以上１０００μｍ以下であるのがより好ましい。
【００６５】
これにより、防水シート１と躯体５０との密着性をより優れたものとすることができ、シート防水構造１０全体としての耐久性をより優れたものとしつつ、接着層２の各部位（特に、接着層２を平面視した際の各部位）での導電性の不本意なばらつきをより効果的に抑制することができる。また、接着層２が必要以上に厚形化することによる弊害（コストの上昇、重量の増加等）の発生をより効果的に防止することができる。また、シート防水構造１０の形成時における材料の取り扱いのし易さを特に優れたものとすることができ、施工の効率をより優れたものとすることができる。
【００６６】
［接合方法］
次に、本発明の接合方法について説明する。
【００６７】
（第１実施形態）
まず、第１実施形態の接合方法ついて説明する。
【００６８】
図３は、本発明の接合法方法の第１実施形態を模式的に示す縦断面図である。なお、以下の説明では、図３中の上側を「上」、下側を「下」とする。
【００６９】
本実施形態の接合方法は、躯体５０の少なくとも一部に防水シート１を接合する方法であって、躯体５０と、防水シート１との間に、接着用組成物２’を配する接着用組成物付与工程（１ａ）と、接着用組成物２’を介して躯体５０と防水シート１とを密着させ、接着する接着工程（１ｂ）とを有し、躯体５０と防水シート１とを接着する接着層２中に、導電性物質２１を含ませる。
【００７０】
これにより、前述したような、電気的な検査により、防水シート１に欠陥が生じている場合に、当該欠陥を容易かつ確実に発見することができるシート防水構造１０を効率よく形成（製造）することができる。
【００７１】
特に、本実施形態の接合方法では、導電性物質２１として、導電性フィラーを用いる。
これにより、図１に示すように、導電性物質２１が分散した状態の接着層２を好適に形成することができ、接着層２全体として十分な導電性をより容易に確保することができる。また、接着層２の補強効果等も得られ、シート防水構造１０の耐久性、信頼性をより優れたものとすることができる。また、接着層２の形成をより容易に行うことができ、生産性をより優れたものとすることができる。
【００７２】
また、本実施形態では、接着用組成物２’として、導電性物質２１と接着剤２２とを予め混合したものを用いる。言い換えると、本実施形態では、接着用組成物２’として、接着剤２２中に導電性物質２１を予め分散させたものを用いる。
【００７３】
これにより、接着層２の形成をさらに容易に行うことができ、生産性をさらに優れたものとすることができる。また、接着層２の形成に用いる材料（接着用組成物２’）の保存の容易性をより優れたものとすることができる。
【００７４】
接着用組成物付与工程は、例えば、躯体５０の表面、防水シート１の表面のうちの少なくとも一方に、接着用組成物２’を付与することにより行うことができるが、躯体５０および防水シート１のそれぞれの表面に接着用組成物２’を付与するのが好ましい。
【００７５】
これにより、防水シート１と躯体５０との密着性をより優れたものとすることができ、シート防水構造１０全体としての耐久性をより優れたものとすることができる。また、形成すべき接着層２の厚みが比較的大きいものである場合でも、接着層２をより好適に形成することができる。また、接着層２の厚み方向における導電性物質２１の分布をより好適に制御することができる。
【００７６】
接着用組成物付与工程において、躯体５０および防水シート１のそれぞれの表面に接着用組成物２’を付与する場合、躯体５０の表面に付与する接着用組成物２’、防水シート１の表面に付与する接着用組成物２’は、同一の構成のものであってもよいし、異なる構成のものであってもよい。例えば、これらの接着用組成物２’は、互いに異なる組成を有するものであってもよいし、同一の組成を有するものであっても、導電性物質２１の大きさや形状等の条件が異なるものであってもよい。
【００７７】
特に、躯体５０の表面に付与する接着用組成物２’、および、防水シート１の表面に付与する接着用組成物２’として、互いに、導電性物質２１の含有率の異なるものを用いることにより、より効果的に接着層２の厚み方向の一部に導電性物質２１を偏在させることができる。
【００７８】
また、躯体５０の表面側には、異なる複数種の接着用組成物２’を組み合わせて付与してもよい。例えば、異なる複数種の接着用組成物２’を積層して用いてもよい。
【００７９】
また、防水シート１の表面側には、異なる複数種の接着用組成物２’を組み合わせて付与してもよい。例えば、異なる複数種の接着用組成物２’を積層して用いてもよい。
【００８０】
また、躯体５０の表面に付与する接着用組成物２’、防水シート１の表面に付与する接着用組成物２’のうち、一方のみに、導電性物質２１を含むものとし、他方の接着用組成物２’として、導電性物質２１を含まない組成物を用いてもよい。
【００８１】
また、接着用組成物２’は、例えば、溶剤等のようにシート防水構造１０の形成過程において除去される成分を含むものであってもよい。
【００８２】
接着用組成物２’の付与は、例えば、刷毛塗り、ディスペンス法、スキージー法、スプレー法、フローガンによる押し出し法等の塗布法により行うことができる。
【００８３】
接着剤２２の硬化前に、磁場を与えてもよい。
これにより、導電性物質２１が強磁性材料で構成されたものである場合に、接着層２中に含まれる導電性物質２１を防水シート１側に好適に偏在させることができる。
【００８４】
このような接合方法により、前述したようなシート防水構造１０（図１に示す構造のシート防水構造１０）を好適に形成することができる。
【００８５】
（第２実施形態）
次に、第２実施形態の接合方法について説明する。
【００８６】
図４は、本発明の接合法方法の第２実施形態を模式的に示す縦断面図である。以下の説明では、前述した実施形態との相違点について中心的に説明し、同様の事項についての説明は省略する。
【００８７】
図４に示すように、本実施形態の接合方法では、導電性物質２１としてメッシュ材を用いる。
【００８８】
これにより、メッシュ材（導電性物質２１）の目に接着剤２２が侵入した構造（メッシュ材が接着剤２２に埋入した構造）の接着層２を好適に形成することができ、接着層２の強度、シート防水構造１０全体としての強度、信頼性等をより優れたものとすることができる。また、導電性物質２１の構成材料が接着剤２２に対する分散性の低いものであっても、接着層２の各部位（特に、接着層２を平面視した際の各部位）での不本意な導電性物質２１の含有率のばらつきを抑制することができ、後に詳述する検査の信頼性をより優れたものとすることができる。
【００８９】
また、本実施形態では、躯体５０の表面に接着剤２２を含む接着用組成物２’（メッシュ材を含まない接着用組成物２’）を付与した後に、当該接着用組成物２’（躯体５０の表面に付与された接着用組成物２’）に、導電性物質２１としてのメッシュ材を含む接着用組成物２’を接触させている。
【００９０】
これにより、接着層２の厚みが必要以上に大きくなるのを防止しつつ、メッシュ材（導電性物質２１）の目に接着剤２２が侵入した構造の接着層２をより好適に形成することができ、接着層２の強度、シート防水構造１０全体としての強度、信頼性等をより優れたものとすることができる。また、接着層２中に含まれる導電性物質２１を防水シート１側により好適に偏在させることができる。また、シート防水構造の形成の作業効率をより優れたものとすることができる。
【００９１】
このような接合方法により、前述したようなシート防水構造１０（図２に示す構造のシート防水構造１０）を好適に形成することができる。
【００９２】
［検査方法］
シート防水構造１０の検査は、電気的に行うことができる。より具体的には、電気放電現象を利用する探傷器を用いることにより行うことができる。これにより、防水シート１の損傷を容易かつ確実に発見することができる。
【００９３】
以下、シート防水構造１０の検査方法について、より詳細に説明する。
シート防水構造１０を構成する防水シート１表面に高電圧をかけ、電気の放電現象を利用して防水シート１の欠陥について検査をする。
【００９４】
防水シート１の表面に、防水シート１の絶縁破壊電圧以下で、かつ、空気の絶縁破壊電圧以上の電圧をかける。
【００９５】
このように印加電圧を調整することにより、防水シート１の検査対象となる部位に欠陥がない場合には、電流が流れないため放電現象は起こらない。
【００９６】
これに対し、防水シート１に欠陥（ピンホール等）がある場合には、アースされた接着層２に含まれる導電性物質２１を介して電流が流れ、このとき放電現象が現れる。これにより、防水シート１の欠陥が容易かつ確実に発見することができる。
【００９７】
探傷器としては、例えば、入力１００Ｖの交流電圧を直流０〜２５０００Ｖの電圧に変圧できる装置を用いることができる。
【００９８】
電圧の印加は、導電性材料で構成されたブラシ状の接触部を防水シート１の表面に接触させて行うのが好ましい。これにより、広い領域を効率よく検査することができる。また、防水シート１がピンホールのような微小な欠陥を有する場合でも、より確実に当該欠陥を発見することができる。
【００９９】
防水シート１に欠陥が発見された場合には、当該部位を被覆するように、所定の大きさの防水シート１を貼着して補修を行うことができる。
【０１００】
当該防水シート１の貼着は、例えば、前述したのと同様な接着層２を介して行うことができる。
【０１０１】
以上、本発明の好適な実施形態について説明したが、本発明は、前述したものに限定されるものではなく、本発明の目的を達成できる範囲での変形、改良等は本発明に含まれるものである。
【０１０２】
例えば、前述した実施形態では、接着層中に含まれる導電性物質が、導電性フィラーまたは導電性メッシュ材である場合について代表的に説明したが、接着層中に含まれる導電性物質は、これら以外の形態のものであってもよい。例えば、導電性物質は、接着剤に相溶した状態のものや、液状のもの等であってもよい。
【０１０３】
また、前述した実施形態では、接着層が、導電性物質として、導電性フィラー、導電性メッシュ材のうちいずれか一方を含むものである場合について代表的に説明したが、接着層は、導電性フィラー、導電性メッシュ材の両方を含むものであってもよい。
【０１０４】
また、前述した実施形態では、接着層が、導電性物質と、接着剤とを含む材料で構成されたものである場合について代表的に説明したが、導電性の接着剤（接着性を有する導電性物質）を用いる場合、上記の２成分を別個に含んでいなくてもよい。すなわち、接着剤が導電性物質として機能するものであってもよい。
【符号の説明】
【０１０５】
１０      シート防水構造
１        防水シート
２’      接着用組成物
２        接着層
２１      導電性物質
２２      接着剤
５０      躯体
【図１】
2018040164.tif 000002
【図２】
2018040164.tif 000003
【図３】
2018040164.tif 000004
【図４】
2018040164.tif 000005